(57)【特許請求の範囲】
【請求項１】
第１の端近くに入口領域（３２、３５）を備え、反対端（３０Ｂ、３４Ｂ）近くに出口領域（３３、３６）を備えたタンディッシュであって、入口領域（３２、３５）内のタンディッシュ（３０、３４）の底（３１、３７）上に緩衝パッド（１０）が付設され、緩衝パッド（１０）は溶融スチールとの接触に耐える耐火材で作られた一体物からなり、その一体物は、溶融スチールの衝突面（１６）を持った底（１５）と、衝突面（１６）から上方へ延びるとともに、底（１５）の周りに延びて底を完全に包囲する外部側壁（１７）と、外部側壁（１７）に接続されて衝突面（１６）に平行な上端面（１９）を形成するとともに、溶融スチールを注ぎ込むことができる開口（２０）を形成する環状部分（１８）とからなり、環状部分（１８）の下面と外部側壁（１７）の内面とが、衝突面（１６）の周りの上方において連続して延びるアンダーカット部（２２）を持った窪み（２１）を形成しており、上端面（１９）の一部（１９Ａ）が、上端面（１９）のその余の部分よりも高さの低いところにあって、上端面（１９）の上記一部（１９Ａ）の下方にある窪み（２１）が、窪み（２１）のその余の部分よりも小さな横断面を持ち、パッド（１０）が上端面（１９）の一部（１９Ａ）をタンディッシュ（３０、３４）の第１の端（３０Ａ、３４Ａ）に向けて付設されていることを特徴とするタンディッシュ。
【請求項２】
緩衝パッド（１０）が楔形をしており、パッド（１０）の長い方の平行辺（１１）が、タンディッシュ（３０、３４）の第１の端（３０Ａ、３４Ａ）に向かって付設されていることを特徴とする、請求項１に記載のタンディッシュ（３０、３４）。
【請求項３】
タンディッシュ（３０）が長さ方向に延びて平面図で楔形をしていることを特徴とする、請求項１又は２に記載のタンディッシュ（３０）。
【請求項４】
タンディッシュが平面図で直角四辺形をしていることを特徴とする、請求項１又は２に記載のタンディッシュ（３４）。
【発明の詳細な説明】
【産業上の利用分野】
この発明は、タンディッシュの緩衝パッドに関するものであり、すなわち、タンディッシュの底上に付設される耐摩耗性材料製のパッドであって、取鍋からタンディッシュ内へ注がれる溶融金属の流れを受けるためのタンディッシュの緩衝パッドに関するものである。
【従来の技術】
緩衝パッドの構造を改良しようとし、とくに連続鋳造タンディッシュ内の表面の乱流を消去し、又は少なくとも減少させるために、緩衝パッドの構造を改良したり、タンディッシュの液状鋼浴内にスラグが巻き込まれるのを最少にしたり、タンディッシュにおけるフラックスカバーの破壊と液状鋼浴の再酸化とを防止したり、適当な流路を確保したりしようとする提案が、最近色々となされている。これらの提案は、本質的には、パッドの底と、溶融金属の流れを入れる開口を設けるための底の周りに起立する側壁とに関するものである。
従って、例えば米国特許第５１６９５９１号では取鍋から流入する流れを受け止めるための底と、底の周囲に沿って上方へ延びている１個又は２個以上の側壁とを持った緩衝パッドが記載されている。各側壁の内面は取鍋から流入する流れに面し内面の長さ方向に延びているアンダーカットを持ち、それによって取鍋から流入して来る流れを受け止め、さらにその流れの方向を反転させるように成形された表面を提供している。
米国特許第５３５８５５１号は、衝突底面と、その衝突底面から上方へ延びるとともに、溶融金属が注ぎ込まれる開口を形成するエンドレスの側壁とを備えた緩衝パッドを記載している。エンドレスの側壁内面は、開口に近づくに従って内側上方へ延びる環状部分を含んでいる。側壁の内面は、衝突底面から開口を形成する垂直壁まで連続して曲がっていることが好ましい。
【発明が解決しようとする課題】
この発明の目的は、改良された緩衝パッドを提供することである。
この発明のさらに別の目的は、タンディッシュへ注ぎ込まれる溶融スチールの改良された流動特性をもたらす緩衝パッドを提供することであり、とくにスチールの流入領域とスチールの流出領域とが、タンディッシュの反対の端近くにあるような、縦に長いタンディッシュに適した緩衝パッドを提供することである。
【課題解決のための手段】
従って、この発明の一面では、溶融スチールとの接触に耐える耐火材で作られた一体物からなり、その一体物は、溶融スチールの衝突面を持った底と、衝突面から上方へ延びるとともに、底の周りに延びて底を完全に包囲する外部側壁と、上記側壁に接続されて衝突面に実質的に平行な上端面を形成するとともに、溶融スチールを注ぎ込むことができる開口を形成する環状部分とからなり、環状部分の下面と側壁の内面とが衝突面の周りの上方において、連続して延びるアンダーカット部を持った窪みを形成しており、上記上端面の一部が上端面のその余の部分よりも高さの低いところにあって、上端面の上記一部の下方にある窪みが、窪みのその余の部分よりも小さな横断面を持っていることを特徴とする、タンディッシュの緩衝パッドを提供するものである。
環状部分の下面と、側壁の内面とは、連続した曲面を形成し、その曲面はその下端で底の衝突面と合体し、それによって底の周りに凹状の窪みを形成し、その窪みは２個の不連続場所又は段差、すなわち小さな窪み部分の両端にある段差を持っている。
緩衝パッドは、平面図では４辺を持つものが好ましく、とくに好ましい実施態様では、（側壁の外面によって形成される）一対の平行辺を持ち、すなわち楔形になっている。後者の実施態様では、長い方の平行辺が上端面の第１部分を含むことが好ましく、すなわち低い方の上端面部分と、小さい方の窪みとを含むことが好ましい。その代わり、パッドは例えば平面図で直角四辺形であってもよい。
小さい方の窪みは、低い方の上端面部分と境を接していないことが好ましく、とくに小さい方の窪み部分は低い方の上端面部分の端までも延びていないこと、すなわち小さい方の窪み部分は低い方の上端面ほど長くないことが好ましい。従って、好ましい楔形のパッド構造では、低い方の上端面部分は、側壁の両端に僅かに達しないところで止まって、高い上端面までのところに段差を作り、その余の表面をパッドの他辺の周りに延ばしており、小さい方の窪み部分は低い方の上端面部分の下で充分に延びて、その両端がパッドの隣接するそれぞれの辺内の窪みと重なるが、上記段差に達しないところで止まっている。
従ってこの実施態様では、実際には、パッドの４辺のうちの１辺に沿って上端面に１つの切欠部分がある。
既に述べたように、この発明の緩衝パッドは、とくに出口領域と反対側の端近くにスチールの入口領域を備えている縦に長いタンディッシュとともに、使用するに適している。
従って、他面では、この発明は、第１の端近くに入口領域を備え、反対端近くに出口領域を備えたタンディッシュであって、入口領域内のタンディッシュの底に緩衝パッドが付設され、緩衝パッドは溶融スチールとの接触に耐える耐火材で作られた一体物からなり、その一体物は溶融スチールの衝突面を持った底と、衝突面から上方へ延びるとともに底の周りに延びて底を完全に包囲する外部側壁と、上記側壁に接続されて衝突面に実質的に平行な上端面を形成するとともに、溶融スチールを注ぎ込むことができる開口を形成する環状部分とからなり、環状部分の下面と側壁の内面とが、衝突面の周囲の上方において連続的に延びるアンダーカット部分を持った窪みを形成しており、上記上端面の一部が上端面のその余の上端面よりも高さの低いところにあって、上端面の上記一部の下方にある窪みが、窪みのその余の部分よりも小さな横断面を持ち、パッドが上端面の上記一部をタンディッシュの上記第１の端に向けて付設されていることを特徴とするタンディッシュを提供するものである。
従って、緩衝パッドが楔形をしているとくに好ましい実施態様では、パッドの長い方の平行辺がタンディッシュの第１の端に向かって付設される。
この発明の緩衝パッドは、上に述べた型のタンディッシュにおいて、表面の乱流を少なくするのにとくに役立つことが判明したが、平面図においてほぼ直角四辺形のタンディッシュ、及び平面図においてほぼ楔形すなわち平行な２辺を持ったタンディッシュにおいても同様に役立つものである。さらに、タンディッシュ内の溶融金属の流れ模様が、従来の緩衝パッドを使用したことによる流れ模様よりも改善される。
この緩衝パッドは、連続鋳造作業に使用されるような溶融金属、とくに溶融スチールに連続して接触するのに耐えるキャスタブル耐火材組成物で作ることができる。普通、約５５重量％から８５重量％の範囲内のアルミナを含有する標準的な中ないし高アルミナ耐火材が望ましい。スチールについての化学的理由から塩基性耐火材が好ましい場合には、約５８重量％から９３重量％の範囲内のＭｇＯを含んでいるマグネシアを基材とした耐火材組成物を使用することが好ましい。
【実施例】
単に一例として添付図面を参照しながら、以下にこの発明を説明するが、その場合、
第１図は、この発明に係る緩衝パッドの平面図であり、
第２図は、第１図のＩＩ−ＩＩ線による断面図であり、
第３図は、第１図の矢印Ａ方向の側面図であり、
第４図は、第３図における矢印Ａ方向のパッドの端の模型的な輪郭図であり、
第５図は、この発明に係る或るタンディッシュの平面図であり、
第６図は、この発明に係る別のタンディッシュの平面図であり、
第７図は、第６図のＶＩＩ−ＶＩＩ線による断面図である。
第１図から第４図において、タンディッシュの緩衝パッド１０は、平面が楔形のものであって、２個の平行辺１１と１２とを持ち、そのうちの辺１１が長く、２個の非平行辺１３と１４とは等しい長さになっている。
パッドは、底１５と、溶融スチールの流れを受ける衝突面１６とを備えている。外側側壁１７は衝突面１６から上方へ延びるとともに底の周りに延びて底を完全に包囲し、すなわちパッドの４辺１１、１２、１３及び１４をすべて形成している。環状部分１８は、側壁に接続されて、衝突面１６に実質的に平行な上端面１９を形成し、また溶融金属を注入することができる開口２０を形成している。
環状部分１８の下面と側壁１７の内面とは窪み２１を形成し、窪み２１はアンダーカット部分２２を備え、アンダーカット部分は衝突面１６の周りに延びるとともに上方に延びている。
パッドの長辺１１は、側壁１７Ａを備え、側壁１７Ａは環状部分１８Ａに接続され、環状部分１８Ａは上端面１９Ａを形成し、上端面１９Ａはその余の上端面１９よりも高さの低いところに位置している。環状部分１８Ａの下面と側壁１７Ａの内面とは、アンダーカット部分２２Ａを備えた窪み２１Ａを形成している。窪み２１Ａは、窪み２１よりも小さな横断面を持っている。
第１図と第４図とに最もはっきりと示したように、低い方の上端面１９Ａはパッドの辺１１の全長にわたって延びていない。上端面１９Ａは辺１１の両端に達しない僅か手前で止まり、かどの上端面部分１９Ｃまでに段差２３を形成し、上端面部分１９Ｃはパッドの他辺の周りに延びる面１９と同じ高さになっている。
第１図と第３図に最もはっきりと示したように、窪み２１Ａは上端面１９Ａの下方で延びているが、上端面１９Ａの両端では段差２３に達しないところで止まっている。しかし、窪み２１Ａは充分に延びて、パッドの辺１３及び１４に付設された側壁１７中の窪み２１と重なっている。
第５図は、底３１上に第１図ないし第４図の緩衝パッドが付設されたタンディッシュ３０を示している。タンディッシュは長手方向に延びて平面図で楔形を呈し、狭い端３０Ａに近接したところに入口領域３２を備え、広い端３０Ｂに近いところに２個の出口３３を備えている。緩衝パッド１０は入口領域３２内に付設され、その長辺１１をタンディッシュの狭い端３０Ａに向けている。
第６図と第７図は、直角四辺形の平面を持ったタンディッシュ３４について、同様な配置を示している。このタンディッシュは対向する端３４Ａと３４Ｂとの近くに、それぞれ入口領域３５と出口３６とを備えている。緩衝パッド１０は、入口領域の底３７上に付設され、その長辺１１をタンディッシュの端壁３４Ａに向けている。
第７図のタンディッシュは注入管３５Ａを備えていて、流入するスチールを緩衝パッド１０とダム３８へ向かわせるが、ダム３８は既に知られているように必要なところに設けられる。
【発明の効果】
緩衝パッド１０へ流れ込むスチールは、衝突面１６に衝突したのち外側へ側壁に向かって流れ、その後窪み２１と２１Ａ内で向きを変え、表面１９と１９Ａの上を通ってパッドから流れ出る。第５図と第６図に矢印で示したように、壁３０Ａと３４Ａとに向かう流れは、それぞれの低い方の上端面１９Ａ上を通る。
この配置は、タンディッシュ内で発生する表面の乱流を著しく減少させることが判明し、従ってそこで発生する改善された流動経路は、清浄なスチールを製造できるという結果をもたらす。
【図面の簡単な説明】
【図１】この発明に係るタンディッシュ緩衝パッドの平面図である。
【図２】第１図のＩＩ−ＩＩ線断面図である。
【図３】第１図の矢印Ａ方向の側面図である。
【図４】第３図の矢印Ａ方向の端面図である。
【図５】この発明に係るタンディッシュの平面図である。
【図６】この発明に係る別のタンディッシュの平面図である。
【図７】第６図のＶＩＩ−ＶＩＩ線断面図である。
【図１】
0004071827.tif 000002
【図２】
0004071827.tif 000003
【図３】
0004071827.tif 000004
【図４】
0004071827.tif 000005
【図５】
0004071827.tif 000006
【図６】
0004071827.tif 000007
【図７】
0004071827.tif 000008